(57)【要約】【課題】簡単な構造で安価に検知領域の範囲に近接等する検知対象物の位置や距離を確実に検出し、設計自由度を向上させる。【解決手段】位置検出装置１００は、静電容量センサ部１０および検出回路部２０を備え、静電容量センサ部１０は、第１および第２検知電極１１，１２と、これらの間に配置された誘電体１９とからなる。誘電体１９は、検知面１９ａ上に検知領域の範囲Ｌを形成する。検出回路部２０は、静電容量検知回路２１，２２と、Ａ／Ｄ変換器２３，２４と、演算処理回路２５とを備え、各静電容量検知回路２１，２２は演算処理回路２５の制御により周期的に同期がとられて動作する。各検知電極１１，１２にて検知された静電容量の検出値Ｃ１，Ｃ２に基づき、演算処理回路２５によって検知領域の範囲Ｌにおける検知対象物の位置を判定して検出する。【選択図】図１
2010117174.tif 000002
【特許請求の範囲】
【請求項１】
検知領域の範囲を画定する検知面を有する誘導体と、
前記検知面上に形成された前記検知領域の範囲に存して前記誘電体に近接または接触する検知対象物を静電容量により検知可能に設けられた複数の検知電極と、
前記複数の検知電極それぞれからの検知信号に基づく静電容量値を検出するとともに、各検知電極にセンサ電位を与え、周期的に同期される複数の検出回路と、
前記複数の検出回路からの出力に基づいて、前記検知領域の範囲における前記検知対象物の位置および前記検知対象物の前記検知面からの距離の少なくとも一つを判定して検出する判定検出手段とを備えた
ことを特徴とする位置検出装置。
【請求項２】
検知領域の範囲を画定する検知面を有する誘電体と、
前記検知面上に形成された前記検知領域の範囲に存して前記誘電体に近接または接触する検知対象物を静電容量により検知可能に設けられた複数の検知電極と、
前記複数の検知電極のうち、前記検知対象物を検知可能となるように接続された検知電極からの検知信号に基づく静電容量値を検出する検出回路と、
前記複数の検知電極のうち、前記検出回路に接続された検知電極と同電位のセンサ電極を他の検知電極に与えるダミーセンサ部と、
前記複数の検知電極のうち、少なくとも一の検知電極を前記検出回路に接続させるとともに、他の検知電極を前記ダミーセンサ部に接続させるように前記検出回路に接続させる検知電極を順次切り替える複数の切替スイッチと、
接続された各検知電極ごとの前記検出回路からの出力を比較して、比較結果に基づき前記検知領域の範囲における前記検知対象物の位置および前記検知対象物の前記検知面からの距離の少なくとも一つを判定して検出する判定検出手段とを備えた
ことを特徴とする位置検出装置。
【請求項３】
前記判定検出手段からの判定検出結果に関する情報を出力する情報出力手段をさらに備えたことを特徴とする請求項１または２記載の位置検出装置。
【請求項４】
前記判定検出手段は、前記複数の検出回路からの出力の比較結果に基づいて前記検知対象物の位置を判定して検出するとともに、前記複数の検出回路からの出力の和に基づいて前記検知対象物の前記検知面からの距離を判定して検出することを特徴とする請求項１または３記載の位置検出装置。
【請求項５】
前記判定検出手段は、前記複数の切替スイッチを制御して、前記複数の検知電極のうちの一の検知電極を前記検出回路に接続し他の検知電極を前記ダミーセンサ部に接続した場合は前記検知対象物の位置を判定して検出するとともに、前記複数の検知電極をすべて前記検出回路に接続した場合は前記検知対象物の前記検知面からの距離を判定して検出することを特徴とする請求項２または３記載の位置検出装置。
【請求項６】
前記判定検出手段は、前記複数の切替スイッチの切替状態を所定時間ごとに制御して、前記検知対象物の位置および前記検知対象物の前記検知面からの距離をそれぞれ判定して検出することを特徴とする請求項５記載の位置検出装置。
【請求項７】
前記検出回路は、前記複数の検知電極とそれぞれ一対一に接続され、各検知電極により検知された静電容量を示す情報を出力する複数の静電容量検知回路を備え、
前記比較判定手段は、前記複数の静電容量検知回路からの前記情報に基づく静電容量値を比較演算および和算の少なくとも一つを行うことにより、前記検知領域の範囲における前記検知対象物の位置および前記検知対象物の前記検知面からの距離の少なくとも一つを判定して検出する演算処理回路からなることを特徴とする請求項１、３または４記載の位置検出装置。
【請求項８】
前記検出回路は、前記複数の検知電極とそれぞれ前記複数の切替スイッチを介して一対一に接続され、各検知電極により検知された静電容量を示す情報を出力する静電容量検知回路を備え、
前記判定検出手段は、前記静電容量検知回路からの前記情報に基づく静電容量値を演算することにより、前記検知領域の範囲における前記検知対象物の位置および前記検知対象物の前記検知面からの距離の少なくとも一つを判定して検出する演算処理回路からなることを特徴とする請求項２、３、５または６記載の位置検出装置。
【請求項９】
前記複数の検知電極は、前記検知領域の範囲を形成する前記検知面を間に挟むようにその電極面がそれぞれ対向する状態で配置されていることを特徴とする請求項１〜８のいずれか１項記載の位置検出装置。
【請求項１０】
前記誘電体は、透明または半透明材料からなり、円柱状、角柱状または平板状に形成されていることを特徴とする請求項１〜９のいずれか１項記載の位置検出装置。
【請求項１１】
前記複数の検知電極は２つであり、前記誘電体の一対の側面にそれぞれ接続配置されていることを特徴とする請求項１０記載の位置検出装置。
【請求項１２】
前記複数の検知電極は４つであり、前記誘電体の一の周方向の側面にそれぞれ接続配置されていることを特徴とする請求項１０記載の位置検出装置。
【請求項１３】
前記複数の検知電極は、前記検知面に対してそれぞれの電極面が直交するように接続配置されていることを特徴とする請求項１１または１２記載の位置検出装置。
【請求項１４】
前記複数の検知電極は、前記検知面に対してそれぞれの電極面が前記検知領域の範囲の方向に向けて鈍角となるように接続配置されていることを特徴とする請求項１１または１２記載の位置検出装置。
【請求項１５】
前記複数の検知電極の電極面とは反対側の裏面側に、それぞれ検知電極に対して絶縁された上でセンサ電位で駆動され、前記複数の検知電極の裏面側の検知をシールドするシールド電極を備えたことを特徴とする請求項１〜１４のいずれか１項記載の位置検出装置。
【請求項１６】
前記複数の検知電極の電極面と同一平面上の周囲に、それぞれ検知電極に対して絶縁された上でセンサ電位で駆動され、前記複数の検知電極の周囲の検知をシールドするシールド電極を備えたことを特徴とする請求項１〜１５のいずれか１項記載の位置検出装置。
【発明の詳細な説明】
【技術分野】
【０００１】
この発明は、静電容量変化によって人体などの検知対象物の近接あるいは接触を検知して、検知対象物の位置や距離を判定し検出する位置検出装置に関する。
【背景技術】
【０００２】
人体などの検知対象物の近接等を検知するものとして、例えば次のようなものが知られている。下記特許文献１に開示されている照明点灯装置は、物体の接近を検知する電極と、この電極の静電容量の変化を検知する静電容量型センサと、この静電容量型センサの５０ミリ秒から１２０ミリ秒までの時間幅を有する出力変化に応答する時間選択回路と、この時間選択回路の出力に基づいて点灯および消灯信号を出力する制御回路と、この制御回路の出力に基づいて開閉する開閉器とを有し、操作者の手の動きに反応するとされている。
【０００３】
また、下記特許文献２に開示されている静電容量式近接センサは、被検出体が近接することにより静電容量が変化するセンサ部と、このセンサ部の静電容量に基づく検知信号を出力する検知回路とを備え、被検出体の非検出時に、較正命令に基づいて回路に固有の初期容量値に対応した検知信号を観測し、これを相殺する減算電圧を減算電圧発生回路から発生させ、減算回路は、減算電圧を検知信号から減算して較正後検知信号を出力するとされている。
【０００４】
そして、これら特許文献１および２の静電容量型センサ（あるいは静電容量式センサ）にて、物体（被検出体）の位置検出分解能を向上させるためには、次のような構成が考えられる。すなわち、図９（ａ）に示すように、複数の検知電極３０１〜３０５を高密度で配置し、各検知電極３０１〜３０５に対してそれぞれ静電容量検知回路３１１〜３１５を設けたり、同図（ｂ）に示すように、回路数を減らすために複数の検知電極３０１〜３０４と一つの静電容量検知回路３１１との間に、電極数と同等（あるいは電極数よりも少ない数）の切替器（メカニカルリレー、アナログスイッチ、フォトＭＯＳリレー等）ＳＷ１〜ＳＷ４を設けて、各検知電極３０１〜３０４に接続される静電容量検知回路３１１を走査（スキャン）して測定することなどが行われる。
【０００５】
【特許文献１】特開平８−６４３６４号公報
【特許文献２】特開２００６−１７７８３８号公報
【発明の開示】
【発明が解決しようとする課題】
【０００６】
しかしながら、上述したような構成のセンサでは、静電容量検知回路の増加は回路自体が高価であり配線等も複雑になることから、コストアップに繋がってしまうという問題がある。また、切替器を複数設けて静電容量検知回路の数を減らしても、配線等が複雑になることに変わりはなく、かつ一つの検知電極あたりの測定時間が増加してしまうという問題がある。
【０００７】
また、検知領域の範囲の下方にセンサが配置されるため、検知領域の範囲の構造が複雑となり、例えば検知領域の範囲に透明性のあるデザインを施した場合には検知電極が可視状態となってしまい設計自由度を向上させることができず、この検知電極を隠すためには隠蔽するための部品が別途必要になったり構造が複雑化したりして、やはりコストアップに繋がってしまうという問題がある。
【０００８】
この発明は、上述した従来技術による問題点を解消するため、簡単な構造で安価に検知領域の範囲に近接等する検知対象物の位置や距離を確実に検出することができるとともに、設計自由度を向上させることができる位置検出装置を提供することを目的とする。
【課題を解決するための手段】
【０００９】
上述した課題を解決し、目的を達成するため、この発明に係る位置検出装置は、検知領域の範囲を画定する検知面を有する誘導体と、前記検知面上に形成された前記検知領域の範囲に存して前記誘電体に近接または接触する検知対象物を静電容量により検知可能に設けられた複数の検知電極と、前記複数の検知電極それぞれからの検知信号に基づく静電容量値を検出するとともに、各検知電極にセンサ電位を与え、周期的に同期される複数の検出回路と、前記複数の検出回路からの出力に基づいて、前記検知領域の範囲における前記検知対象物の位置および前記検知対象物の前記検知面からの距離の少なくとも一つを判定して検出する判定検出手段とを備えたことを特徴とする。
【００１０】
また、この発明に係る位置検出装置は、検知領域の範囲を画定する検知面を有する誘電体と、前記検知面上に形成された前記検知領域の範囲に存して前記誘電体に近接または接触する検知対象物を静電容量により検知可能に設けられた複数の検知電極と、前記複数の検知電極のうち、前記検知対象物を検知可能となるように接続された検知電極からの検知信号に基づく静電容量値を検出する検出回路と、前記複数の検知電極のうち、前記検出回路に接続された検知電極と同電位のセンサ電極を他の検知電極に与えるダミーセンサ部と、前記複数の検知電極のうち、少なくとも一の検知電極を前記検出回路に接続させるとともに、他の検知電極を前記ダミーセンサ部に接続させるように前記検出回路に接続させる検知電極を順次切り替える複数の切替スイッチと、接続された各検知電極ごとの前記検出回路からの出力を比較して、比較結果に基づき前記検知領域の範囲における前記検知対象物の位置および前記検知対象物の前記検知面からの距離の少なくとも一つを判定して検出する判定検出手段とを備えたことを特徴とする。
【００１１】
この発明に係る位置検出装置は、上記のように構成することにより、簡単な構造で安価に検知領域の範囲に近接等する検知対象物の位置や距離を確実に検出することができる。
【００１２】
なお、例えば前記判定検出手段からの判定検出結果に関する情報を出力する情報出力手段を備えてもよい。
【００１３】
前記判定検出手段は、例えば前記複数の検出回路からの出力の比較結果に基づいて前記検知対象物の位置を判定して検出するとともに、前記複数の検出回路からの出力の和に基づいて前記検知対象物の前記検知面からの距離を判定して検出する。
【００１４】
また、前記判定検出手段は、例えば前記複数の切替スイッチを制御して、前記複数の検知電極のうちの一の検知電極を前記検出回路に接続し他の検知電極を前記ダミーセンサ部に接続した場合は前記検知対象物の位置を判定して検出するとともに、前記複数の検知電極をすべて前記検出回路に接続した場合は前記検知対象物の前記検知面からの距離を判定して検出する。
【００１５】
さらに、前記判定検出手段は、例えば前記複数の切替スイッチの切替状態を所定時間ごとに制御して、前記検知対象物の位置および前記検知対象物の前記検知面からの距離をそれぞれ判定して検出する。
【００１６】
前記検出回路は、例えば前記複数の検知電極とそれぞれ一対一に接続され、各検知電極により検知された静電容量を示す情報を出力する複数の静電容量検知回路を備え、前記比較判定手段は、例えば前記複数の静電容量検知回路からの前記情報に基づく静電容量値を比較演算および和算の少なくとも一つを行うことにより、前記検知領域の範囲における前記検知対象物の位置および前記検知対象物の前記検知面からの距離の少なくとも一つを判定して検出する演算処理回路からなる。
【００１７】
また、前記検出回路は、例えば前記複数の検知電極とそれぞれ前記複数の切替スイッチを介して一対一に接続され、各検知電極により検知された静電容量を示す情報を出力する静電容量検知回路を備え、前記判定検出手段は、例えば前記静電容量検知回路からの前記情報に基づく静電容量値を演算することにより、前記検知領域の範囲における前記検知対象物の位置および前記検知対象物の前記検知面からの距離の少なくとも一つを判定して検出する演算処理回路からなる。
【００１８】
前記複数の検知電極は、例えば前記検知領域の範囲を形成する前記検知面を間に挟むようにその電極面がそれぞれ対向する状態で配置されるとよい。
【００１９】
前記誘電体は、例えば透明または半透明材料からなり、円柱状、角柱状または平板状に形成される。これにより、例えばデザイン面などにおける設計自由度を向上させることができる。
【００２０】
例えば、前記複数の検知電極は２つであり、前記誘電体の一対の側面にそれぞれ接続配置されるとよい。
【００２１】
また、例えば、前記複数の検知電極は４つであり、前記誘電体の一の周方向の側面にそれぞれ接続配置されるとよい。
【００２２】
前記複数の検知電極は、例えば前記検知面に対してそれぞれの電極面が直交するように接続配置されてもよい。
【００２３】
また、前記複数の検知電極は、例えば前記検知面に対してそれぞれの電極面が前記検知領域の範囲の方向に向けて鈍角となるように接続配置されてもよい。
【００２４】
前記複数の検知電極の電極面とは反対側の裏面側に、例えばそれぞれ検知電極に対して絶縁された上でセンサ電位で駆動され、前記複数の検知電極の裏面側の検知をシールドするシールド電極を備えてもよい。
【００２５】
また、前記複数の検知電極の電極面と同一平面上の周囲に、例えばそれぞれ検知電極に対して絶縁された上でセンサ電位で駆動され、前記複数の検知電極の周囲の検知をシールドするシールド電極を備えてもよい。
【発明の効果】
【００２６】
この発明によれば、簡単な構造で安価に検知領域の範囲に近接等する検知対象物の位置や距離を確実に検出することができるとともに、設計自由度を向上させることができる位置検出装置を提供することができる。
【発明を実施するための最良の形態】
【００２７】
以下に、添付の図面を参照して、この発明に係る位置検出装置の好適な実施の形態を詳細に説明する。
【００２８】
図１は、本発明の第１実施形態に係る位置検出装置の全体構成の例を示す説明図、図２は同位置検出装置の一部の他の構成例を示す斜視図、図３は同位置検出装置の位置判定検出動作を説明するための説明図である。
【００２９】
図１に示すように、位置検出装置１００は、主に人体の指などの検知対象物を検知する箇所などに配置される静電容量センサ部１０と、この静電容量センサ部１０と図示しない基板などを介して一体に、あるいは別体に配置される検出回路部２０とから構成されている。
【００３０】
静電容量センサ部１０は、検知対象物の近接や接触を静電容量により検知するものであり、例えば第１検知電極１１および第２検知電極１２の複数の検知電極と、これら第１および第２検知電極１１，１２間に配置された誘電体１９とを備えて構成されている。誘電体１９は、例えば一の側面に検知領域の範囲Ｌを画定する検知面１９ａを有し、ここでは透明または半透明性の角柱状に形成されたプラスチックやセラミック、その他の材料からなる。また、誘電体１９は、比誘電率が１を超えるものであり、本例では比誘電率は１より十分大きく（例えば３に）なっている。
【００３１】
第１および第２検知電極１１，１２は、誘電体１９による検知領域の範囲Ｌ内やその近傍に配置され、検知面１９ａ上に形成された検知領域の範囲Ｌに存して誘電体１９に近接あるいは接触する検知対象物を静電容量により検知可能に設けられている。ここでは、第１および第２検知電極１１，１２の電極面（図示せず）が誘電体１９の長手方向の一対の側面にてそれぞれ対向し、かつ検知面１９ａを間に挟むとともにこの検知面１９ａと直交する状態で誘電体１９と接続されて配置されている。
【００３２】
一方、検出回路部２０は、ここでは、静電容量センサ部１０の各検知電極１１，１２からの検知信号に基づく静電容量値を検出し、検知領域の範囲Ｌにおける検知対象物の位置および検知対象物の検知面１９ａからの距離の少なくとも一つを判定して検出するものである。
【００３３】
この検出回路部２０は、例えば各検知電極１１，１２をセンサ電位にて駆動し、各検知電極１１，１２からの検知信号に基づく静電容量値を検出する静電容量検知回路２１，２２と、これら静電容量検知回路２１，２２からのアナログ信号出力をそれぞれディジタル信号に変換して出力するＡ／Ｄ変換器２３，２４と、これらＡ／Ｄ変換器２３，２４からのディジタル信号に基づいて静電容量値を演算し、上述したように検知対象物の位置や距離を判定して検出する演算処理回路２５とを備えて構成されている。
【００３４】
なお、演算処理回路２５は、判定検出手段として機能し、本例では検出回路部２０内に備えられているが、この検出回路部２０とは別体に設けられていてもよく、例えば各静電容量検知回路２１，２２を周期的に同期させて動作させる。すなわち、演算処理回路２５は、各静電容量検知回路２１，２２の動作を制御して、各検知電極１１，１２にセンサ電位を与え、静電容量を測定したらリセットすることを繰り返し行って得られた静電容量値を平均化することで測定精度（検知精度）を向上させる。
【００３５】
このように、演算処理回路２５は、各静電容量検知回路２１，２２の動作を制御するとともに位置検出装置１００全体の制御を司る。そして、演算処理回路２５は、具体的には、検知対象物の位置を上述した比較演算により判定し検出するとともに、各静電容量検知回路２１，２２からの静電容量値の和を求めることにより、検知対象物の検知面１９ａからの距離を判定し検出する。
【００３６】
さらに、演算処理回路２５は、ここでは、情報出力手段としての機能を有し、判定して検出された検知対象物の位置や距離（すなわち、判定検出結果）に関する情報（検出情報）を、外部の表示装置（図示せず）にて表示可能な状態で出力したり、印刷可能な状態で出力したり、その他、利用可能な種々の形態に適用できるように出力する。なお、各静電容量検知回路２１，２２の静電容量値の検出に関する動作等については、後述する。
【００３７】
ここで、静電容量センサ部１０は、例えば次のように構成されていてもよい。すなわち、図２（ａ）に示すように、静電容量センサ部１０は、誘電体１９の一対の側面にそれぞれ接続配置された第１および第２検知電極１１，１２の電極面とは反対側の裏面側に、それぞれ検知電極１１，１２に対して絶縁された上でセンサ電位で駆動され、各検知電極１１，１２の裏面側の検知をシールドする第１シールド電極１５を備えてもよい。
【００３８】
このようにすれば、各検知電極１１，１２の裏面側に人体の指Ｆなどが近接しても、誘電体１９の検知面１９ａによる検知対象物の検知には極力影響を与えないように構成することが可能となる。
【００３９】
また、図２（ｂ）に示すように、静電容量センサ部１０は、上述した第１シールド電極１５とともに、各検知電極１１，１２の電極面と同一平面上の周囲に、それぞれ検知電極１１，１２に対して絶縁された上でセンサ電位で駆動され、各検知電極１１，１２の周囲の検知をシールドする第２シールド電極１６を備えてもよい。
【００４０】
このようにすれば、各検知電極１１，１２の裏面側のみならず、各検知電極１１，１２の電極面の周囲においても誘電体１９の検知面１９ａによる検知対象物の検知には影響を極力与えないように構成することが可能となる。
【００４１】
なお、第１および第２シールド電極１５，１６をセンサ電位で駆動するためには、例えば各検知電極１１，１２に与えられるセンサ電位から高い入力インピーダンスで１倍のアンプ（バッファ）を通して生成されたものを与えたり、各静電容量検知回路２１，２２が差動動作するタイプのものであれば、例えばオペアンプの非反転入力部分を第１および第２シールド電極１５，１６に接続したりすればよい。
【００４２】
さらに、静電容量センサ部１０は、上述した第１および第２検知電極１１，１２の電極面が検知面１９ａに対してそれぞれ直交する状態で接続配置されるのみならず、例えば検知面１９ａ上の検知領域の範囲Ｌの方向に向けてそれぞれ鈍角となるように接続配置されていてもよい。
【００４３】
このようにすれば、人体の指Ｆ（または掌）の接近を検出し易くなるからである。例えば、鈍角の角度が大きくなればなるほど、人体の指Ｆの接近を検出し易くなるため、後述する検知領域の範囲Ｌへの指Ｆの近接を検出する距離判定検出のときは、指Ｆの接近の感度を上げたいときは角度を１８０°に近くし、感度をあまり上げたくないときは角度を９０°もしくは９０°付近にすればよい。このようにして、鈍角の角度を変えることで人体の指Ｆの接近の感度を調整することができる。
【００４４】
次に、このように構成された位置検出装置１００の位置判定検出の動作について説明する。まず、上述した人体の指Ｆが検知領域の範囲Ｌの近傍にない場合の動作について説明する。この場合、図３（ａ）に示すように、各検知電極１１，１２の裏面側が第１シールド電極１５によってシールドされ、各検知電極１１，１２は同期しているため、各検知電極１１，１２は周囲のグランド（ＧＮＤ：接地）と弱く結合しているのみであり、誘電体１９の長手方向両端は同電位となる。このため、第１および第２検知電極１１，１２から出る電気力線Ｐ１，Ｐ２は外部に出てしまい誘電体１９内にほとんどない状態となる。
【００４５】
次に、指Ｆが検知領域の範囲Ｌ内にある場合の動作は、図３（ｂ）〜（ｄ）に示すようになる。すなわち、人体の指Ｆが誘電体１９の検知面１９ａ上の任意の位置に接触すると、指Ｆはグランドと同等とみなせるため、各電気力線Ｐ１，Ｐ２それぞれのうちの少なくとも一部の電気力線Ｐ１’，Ｐ２’は指Ｆに結合し、図３（ａ）に示す状態よりも各静電容量検知回路２１，２２で検出される静電容量値は大きくなる（すなわち、静電容量が増加する）。
【００４６】
したがって、指Ｆが検知領域の範囲Ｌ内にて検知面１９ａに非近接あるいは非接触のとき（図３（ａ）のとき）を基準にすると、例えば指Ｆが検知面１９ａに接触したとき（図３（ｂ）〜（ｄ）のとき）は、前提として基準よりも検出される静電容量値が大きくなる。
【００４７】
まず、図３（ｂ）の場合は、指Ｆが第２検知電極１２に近い側の検知面１９ａ上に接触しているため、結合する電気力線Ｐ１’よりも電気力線Ｐ２’の量が多く、静電容量検知回路２２で検出される静電容量値が大きいこととなる。このとき、例えば検知領域の範囲Ｌにおいて、第１検知電極１１の近傍位置をＸ方向の０（ゼロ）とすると、第２検知電極１２の近傍位置がＸ方向の最大位置（最大量）として検出することができるので、指ＦのＸ方向の位置は、Ｘ＞Ｌ／２とみることができる。
【００４８】
また、図３（ｃ）の場合は、指Ｆが第１および第２検知電極１１，１２の中間近傍の検知面１９ａ上に接触しているため、結合する電気力線Ｐ１’，Ｐ２’の量は上記（ａ）の場合より多くなるとともに、各静電容量検知回路２１，２２にて検出される静電容量値はほぼ同等となる。このため、指ＦのＸ方向の位置は、検知領域の範囲Ｌのほぼ中間であるとして、例えばＸ≒Ｌ／２とみなせる。
【００４９】
そして、図３（ｄ）の場合は、指Ｆが第１検知電極１１に近い側の検知面１９ａ上に接触しているため、結合する電気力線Ｐ２’よりも電気力線Ｐ１’の量が多く、静電容量検知回路２１で検出される静電容量値が大きいこととなる。このとき、指ＦのＸ方向の位置は、Ｘ＜Ｌ／２とみることができる。
【００５０】
このように、図３に示した動作においては、検知面１９ａに接触した指ＦのＸ方向の位置と検出された静電容量値との関係は、単調増加関数により関係づけられているため、演算処理回路２５は、この単調増加関数により指Ｆの位置を判定し検出することができる。例えば、図３に示した場合の静電容量検知回路２１での検出値（指Ｆが検知領域の範囲Ｌの近傍にないときからの静電容量の増加量）をＣ１（ｘ）とし、静電容量検知回路２２での同じく検出値をＣ２（ｘ）とすると、指Ｆの検知面１９ａ上での位置は、演算処理回路２５にてＣ１（ｘ）とＣ２（ｘ）を比較演算することで求めることができる。このときの関数式は、例えばＣ１（ｘ）／Ｃ２（ｘ）やＣ１（ｘ）／｛Ｃ１（ｘ）＋Ｃ２（ｘ）｝と表わすことができる。
【００５１】
なお、距離判定検出の動作にて検知領域の範囲Ｌ内において検知面１９ａに非接触状態にある指Ｆの検知面１９ａからの距離は、演算処理回路２５にて上記検出値Ｃ１（ｘ）とＣ２（ｘ）の和を求めれば、判定して検出することができる。
【００５２】
図４は、本発明の第２実施形態に係る位置検出装置の全体構成の例を示す説明図である。なお、以降において、既に説明した部分と重複する説明は本実施形態においても適用できるものとして割愛し、本発明に特に関連のない部分については明記しないことがあるとする。
【００５３】
図４に示すように、第２実施形態に係る位置検出装置１００は、上述したように静電容量センサ部１０と検出回路部２０Ａとから構成されている点は先の例と同様であるが、検出回路部２０Ａの構成および静電容量センサ部１０の動作が異なっている点が先の例の検出回路部２０と相違している。
【００５４】
すなわち、この検出回路部２０Ａは、第１および第２検知電極１１，１２とそれぞれ接続される複数の切替スイッチＳＷＡ，ＳＷＢと、一つの静電容量検知回路２６およびＡ／Ｄ変換器２７と、静電容量検知回路２６と同電位のダミーセンサ２８とを備える点が相違している。
【００５５】
この場合、切替スイッチＳＷＡ，ＳＷＢにおける静電容量検知回路２６との接続、およびダミーセンサ２８との接続の切り替えは、例えば演算処理回路２５からの切替制御により所定時間ごとに交互に行われる（すなわち、各検知電極１１，１２がそれぞれ異時的に静電容量検知回路２６およびダミーセンサ２８に接続されるように行われる）。
【００５６】
具体的には、例えば切替スイッチＳＷＡにより検知電極１１が静電容量検知回路２６と接続されるとともに、切替スイッチＳＷＢにより検知電極１２がダミーセンサ２８と接続されているときに得られた検出値Ｃ１（ｘ）と、切替スイッチＳＷＡにより検知電極１１がダミーセンサ２８と接続されるとともに、切替スイッチＳＷＢにより検知電極１２が静電容量検知回路２６と接続されているときに得られた検出値Ｃ２（ｘ）とに基づいて、演算処理回路２５が上述したような処理を行えば、指Ｆの検知面１９ａ上の検知領域の範囲Ｌにおける位置を判定し検出することができる。
【００５７】
また、演算処理回路２５の切替制御により、例えば各切替スイッチＳＷＡ，ＳＷＢにてそれぞれ各検知電極１１，１２が静電容量検知回路２６と接続されるようにすれば、指Ｆが検知領域の範囲Ｌ内において近接してくると誘電体１９を介して各検知電極１１，１２と静電容量結合を起こすので、このときの静電容量値（検出値）に基づき指Ｆの検知面１９ａからの距離を判定し検出することもできる。
【００５８】
そして、この第２実施形態の構成によれば、上述した第１実施形態の検出回路部２０と比べて静電容量検知回路およびＡ／Ｄ変換器の数を少なくすることができるので、さらに安価に指Ｆの位置判定検出や距離判定検出を正確かつ確実に行うことができる。
【００５９】
図５は、本発明の第３実施形態に係る位置検出装置の全体構成の一部の例を示す説明図である。図５に示すように、第３実施形態の位置検出装置１００Ａは、第１実施形態および第２実施形態に係る静電容量センサ部１０Ａと検出回路部２０Ｂ（一部のみ図示）とから構成されている点は同様であるが、静電容量センサ部１０Ａおよび検出回路部２０Ｂの構成がそれぞれ異なっており、指Ｆの位置を上述したＸ方向のみならずこのＸ方向と交差するＹ方向においても判定して検出し、二次元的に位置判定検出および距離判定検出ができるようになっている点が、第１および第２実施形態とは相違している。
【００６０】
すなわち、静電容量センサ部１０Ａは、誘電体１９Ａが平板状に形成されて、主面である検知面１９ａを囲む４つの側面にそれぞれ第１検知電極１１、第２検知電極１２、第３検知電極１３および第４検知電極１４が接続配置された構成からなる。そして、検知回路部２０Ｂは、これらの検知電極１１〜１４とそれぞれ接続された切替スイッチＳＷＡ，ＳＷＢ，ＳＷＣ，ＳＷＤを備え、これらは一つの静電容量検知回路２９およびダミーセンサ２８に接続されている。なお、デザイン性などを考慮して、第１検知電極１１〜第４検知電極１４は、誘電体１９の各側面の内部に配置されていてもよい。
【００６１】
このように構成された位置検出装置１００Ａでは、例えば次のような動作が行われる。まず、図示しない演算処理回路によって、検知面１９ａ上に形成された矩形状の検知領域の範囲における原点（ｘ０，ｙ０）を設定し、検知面１９ａ上の検知領域の範囲において指Ｆ（図示せず）が接触した場合に、各切替スイッチＳＷＡ〜ＳＷＤの切り替えを同時に制御することを、この場合であれば少なくとも４回行って各検出値を得る。
【００６２】
すなわち、例えば動作１として、切替スイッチＳＷＡが第１検知電極１１と静電容量検知回路２９とを接続するように切り替えられた場合は、他の切替スイッチＳＷＢ，ＳＷＣ，ＳＷＤは、第２検知電極１２〜第４検知電極１４をダミーセンサ２８との接続に切り替える。このときの第１検知電極１１からの静電容量に基づき静電容量検知回路２９にて検出された静電容量値は、演算処理回路にて検出値Ｃ１（ｘ，ｙ）として記憶される。
【００６３】
次に、動作２として、切替スイッチＳＷＢが第２検知電極１２と静電容量検知回路２９とを接続するように切り替えられた場合は、他の切替スイッチＳＷＡ，ＳＷＣ，ＳＷＤは、第１検知電極１１、第３検知電極１３および第４検知電極１４をダミーセンサ２８との接続に切り替える。このときの第２検知電極１２からの静電容量に基づく静電容量値は、演算処理回路にて検出値Ｃ２（ｘ，ｙ）として記憶される。
【００６４】
さらに、動作３として、切替スイッチＳＷＣが第３検知電極１３と静電容量検知回路２９とを接続するように切り替えられた場合は、他の切替スイッチＳＷＡ，ＳＷＢ，ＳＷＤは、第１検知電極１１、第２検知電極１２および第４検知電極１４をダミーセンサ２８との接続に切り替える。このときの第３検知電極１３からの静電容量に基づく静電容量値は、演算処理回路にて検出値Ｃ３（ｘ，ｙ）として記憶される。
【００６５】
最後に、動作４として、切替スイッチＳＷＤが第４検知電極１４と静電容量検知回路２９とを接続するように切り替えられた場合は、他の切替スイッチＳＷＡ〜ＳＷＣは、第１検知電極１１〜第３検知電極１３をダミーセンサ２８との接続に切り替える。このときの第４検知電極１４からの静電容量に基づく静電容量値は、演算処理回路にて検出値Ｃ４（ｘ，ｙ）として記憶される。
【００６６】
そして、演算処理回路にて、これらの検出値Ｃ１〜Ｃ４を比較演算することによって、検知面１９ａ上の検知領域の範囲における指ＦのＸ方向およびＹ方向の二次元的な位置を判定し検出する。このように、第３実施形態に係る位置検出装置１００Ａによれば、指Ｆの検知面１９ａ上の検知領域の範囲における位置を二次元的に正確に判定して検出することができる。
【００６７】
なお、この第３実施形態に係る位置検出装置１００Ａにおいても、検知領域の範囲における指Ｆの検知面１９ａからの距離判定検出を行うことができる。すなわち、位置検出装置１００Ａは、距離判定検出のときは、演算処理回路の切替制御によって、検出回路部２０Ｂのすべての切替スイッチＳＷＡ〜ＳＷＤを静電容量センサ部１０Ａのすべての検知電極１１〜１４が静電容量検知回路２９と接続されるようにして、これらすべての検知電極１１〜１４で検知された誘電体１９Ａを介して各検知電極１１〜１４と結合した指Ｆとの静電容量に基づく静電容量値を利用して演算処理回路で演算を行い、検知面１９ａからの指Ｆ（検知対象物）の距離を算出する。この距離の算出方法については公知技術であるため、ここでは説明を省略する。
【００６８】
そして、上述した実施形態では、位置判定検出と距離判定検出を、例えば所定時間ごとに切り替えて行えば、検知領域の範囲における検知対象物の位置と検知面からの距離を一つの位置検出装置にて複合的に検出することが可能となる。なお、距離判定検出においては、検出される静電容量値（検出値）で評価するが、これは誘電体のＸ方向等の位置と誘電体までの距離の両方に依存する。このとき、Ｃ１／Ｃ２やＣ１／（Ｃ１＋Ｃ２）などは誘電体までの距離にほぼ依存せず、Ｘ等のみに依存するので、先に演算によりＸ等を求めておいてからそのＸ等に対応した距離を求めてやればよい。
【００６９】
このように、本発明に係る位置検出装置によれば、検知電極の数が少なく検出回路部の構成が簡単であるため、簡単な構造で安価に検知領域の範囲に近接等する検知対象物の位置や距離を確実に検出することができる。また、誘電体を透明あるいは半透明性の材料にて構成したり、検知電極の配置スペースがほぼ不要とすることができるため（誘電体に接続あるいは内蔵配置されているため）、位置検出装置の設計自由度を向上させることができる。
【００７０】
図６は、静電容量検知回路の内部構成の例を示すブロック図、図７は同静電容量検知回路の動作波形の例を示す動作波形図である。図６に示すように、静電容量検知回路２１（２２，２６，２９、以下同じ。）は、ここでは第１検知電極１１等によって検知された静電容量（Ｃａｐａｃｉｔａｎｃｅ）を電圧（Ｖｏｌｔａｇｅ）に変換する、いわゆるＣ−Ｖ変換型回路からなる。
【００７１】
この静電容量検知回路２１は、図６に示すように、静電容量Ｃに応じてデューティー比が変化するものであり、例えば一定周期のトリガ信号ＴＧを出力するトリガ信号発生回路１０１と、入力端に接続された静電容量Ｃの大きさによってデューティー比が変化するパルス信号Ｐｏを出力するタイマー回路１０２と、このパルス信号Ｐｏを平滑化するローパスフィルタ（ＬＰＦ）１０３とを備えて構成されている。
【００７２】
タイマー回路１０２は、例えば２つの比較器２０１，２０２と、これら２つの比較器２０１，２０２の出力がそれぞれリセット端子Ｒおよびセット端子Ｓに入力されるＲＳフリップフロップ回路（以下、「ＲＳ−ＦＦ」と呼ぶ。）２０３と、このＲＳ−ＦＦ２０３の出力ＤＩＳをＬＰＦ１０３に出力するバッファ２０４と、ＲＳ−ＦＦ２０３の出力ＤＩＳでオン／オフ制御させるトランジスタ２０５とを備えて構成されている。
【００７３】
比較器２０２は、トリガ信号発生回路１０１から出力される図７に示すようなトリガ信号ＴＧを、抵抗Ｒ１，Ｒ２，Ｒ３によって分割された所定のしきい値Ｖｔｈ２と比較して、トリガ信号ＴＧに同期したセットパルスを出力する。このセットパルスは、ＲＳ−ＦＦ２０３のＱ出力をセットする。
【００７４】
このＱ出力は、ディスチャージ信号ＤＩＳとしてトランジスタ２０５をオフ状態にし、各検知電極１１等および接地（グランド）の間を、各検知電極１１等の対接地静電容量Ｃおよび入力端と電源ラインとの間に接続された抵抗Ｒ４による時定数で決まる速度で充電する。これにより、入力信号Ｖｉｎの電位が静電容量Ｃによって決まる速度で上昇する。
【００７５】
入力信号Ｖｉｎが、抵抗Ｒ１，Ｒ２，Ｒ３で決まるしきい値Ｖｔｈ１を超えたら、比較器２０１の出力が反転してＲＳ−ＦＦ２０３の出力を反転させる。この結果、トランジスタ２０５がオン状態となって、例えば検知電極１１に蓄積された電荷がこのトランジスタ２０５を介して放電される。
【００７６】
したがって、このタイマー回路１０２は、図７に示すように、検知電極１１等との間の静電容量Ｃに基づくデューティー比で発振するパルス信号Ｐｏを出力する。ＬＰＦ１０３は、この出力を平滑化することにより、図７に示すような直流の検知信号Ｖｏｕｔを出力する。
【００７７】
こうして、静電容量検知回路２１から出力された検知信号Ｖｏｕｔは、上述したようにＡ／Ｄ変換器２３等にてディジタル信号に変換される。なお、図７中において、実線で示す波形と点線で示す波形は、前者が後者よりも静電容量が小さいことを示しており、例えば後者が物体接近状態を示している。
【００７８】
なお、上述した位置検出装置１００，１００Ａにおいて、検知回路部２０，２０Ａ，２０Ｂの構成として、静電容量検知回路２１等がＣ−Ｖ変換型にて抵抗とコンデンサにより出力パルスのデューティー比が変化する周知のタイマーＩＣを利用するものを説明したが、これに限定されるものではない。すなわち、ＣＲ直列回路の充電時間を利用する方式の他に、静電容量検知回路２１等では、次のようなものが知られている。
【００７９】
例えば、正弦波を印加して静電容量値による電圧変化あるいは電流値から直接インピーダンスを測定する方式、測定する静電容量を含めて発振回路を構成して発振周波数を測定する方式、ＲＣ充放電回路を構成して充放電時間を測定する方式、既知の電圧で充電した電荷を既知の容量に移動してその電圧を測定する方式、または未知の容量に既知電圧で充電し、その電荷を既知容量に移動させることを複数回行い、既知容量が所定電圧に充電されるまでの回数を測定する方式などがある。そして、検出した静電容量値にしきい値を設け、または静電容量の信号波形を解析して該当する静電容量波形になったときにトリガとするなどの処理を行ってスイッチとして機能させてもよい。
【００８０】
また、検知回路部２０，２０Ａ，２０Ｂの静電容量検知回路２１等が静電容量を電圧に変換することを前提としたが、電気的にあるいはソフトウェアとして扱いやすいデータに変換できればよく、例えば静電容量をパルス幅に変換したり直接ディジタル値に変換したりしてもよい。
【００８１】
さらに、上述した位置検出装置１００，１００Ａでは、第１検知電極や第２検知電極１２等を誘電体１９等に配置して、検出値Ｃ１と検出値Ｃ２とを比較等して検知対象物を判定し検出するものを例に挙げて説明したが、例えば次のようなものであってもよい。
【００８２】
図８は、静電容量検知回路の内部構成の他の例を示すブロック図である。図８に示すように、この例の静電容量検知回路２１（２２，２６，２９、以下同じ。）には、差動増幅回路２１ａが含まれて差動動作するものとして構成されている。この静電容量検知回路２１では、上述したような既知の電圧で充電した電荷を既知の容量に移動してその電圧を測定する方式が採用される。なお、検知電極は第１および第２検知電極１１，１２を例に挙げて説明する。
【００８３】
具体的には、図８に示すように、例えば差動増幅回路２１ａのマイナス側入力端に第１検知電極１１を接続し、プラス側入力端に第２検知電極１２を接続して、静電容量Ｃ２の値から静電容量Ｃ１の値を減算し、その出力値をコンパレータなどでしきい値と比較して検知対象物を判定し検出するようにしたものである。
【００８４】
このような静電容量検知回路２１の動作としては、例えばスイッチＳ１がオープン（ＯＦＦ）で、スイッチＳ２が接地（ＧＮＤ）され、スイッチＳ３がクローズ（ＯＮ）となっているときに、スイッチＳ３をオープン（ＯＦＦ）にし、スイッチＳ２をＶｒに切り替え、スイッチＳ１をオペアンプの反転入力に接続すると、静電容量Ｃ２とＣｆにＣ２Ｖｒが充電され、静電容量Ｃ１とＣｆにＣ１Ｖｒが充電される。
【００８５】
次に、スイッチＳ１をオープン（ＯＦＦ）およびスイッチＳ２を接地（ＧＮＤ）した後に、スイッチＳ１を接地（ＧＮＤ）したときの出力電圧Ｖを測定する。このときの電圧は、Ｖ／Ｖｒ＝｛（Ｃｆ＋Ｃ１）／Ｃｆ｝−｛（Ｃｆ＋Ｃ２）／Ｃｆ｝となり、静電容量Ｃ２と静電容量Ｃ１の割合に応じた電圧が出力される。
【００８６】
このように、静電容量検知回路２１を差動動作する構成とすることにより、回路の温度特性を相殺したりコモンモードノイズを低減したりすることができる。なお、検知対象物が人体である場合、この人体を検出する検知電極として利用するのは、第１および第２検知電極１１，１２のうちの一方とし、他方は検知電極の検知領域の範囲側（すなわち、検知面１９ａ側）にシールド電極（図示せず）を配置することで、人体との感度をなくし、人体との静電容量結合が一方の検知電極のみになるように構成すればよい。
【００８７】
また、上述した切替スイッチＳＷＡ等は、電気的な接続を切り替えられる構造であればよく、例えばＦＥＴやフォトＭＯＳリレーなどの電子回路スイッチでも、接点切替器などの機械的なスイッチでも採用することができる。また、誘電体１９，１９Ａの形状は、角柱状、平板状のみならず、円柱状でもよく、三角柱状や五角柱状に形成されたり、三角形や多角形、円、楕円などの形状であってもよい。さらに、誘電体１９，１９Ａの断面形状は平行な矩形辺で構成されていることなく、傾いた辺や曲面により構成されていてもよく、このような場合はあらかじめ形状ごとのプロファイルをとって位置判定検出等の動作の設定に反映しておけばよい。
【００８８】
また、検知電極の数を２つあるいは４つとして説明したが、例えば３つや５つなどの異なる数によっても上述した位置判定検出等の動作を実現することができる。さらに、誘電体１９，１９Ａは、アクリルやガラス等の透明性あるいは半透明性材料により構成してもよく、この場合は検知電極１１等により構成される検知領域の範囲が外部から視認し難い構成とすることができるため、デザイン性や設計自由度において有利である。
【図面の簡単な説明】
【００８９】
【図１】本発明の第１実施形態に係る位置検出装置の全体構成の例を示す説明図である。
【図２】同位置検出装置の一部の他の構成例を示す斜視図である。
【図３】同位置検出装置の位置判定検出動作を説明するための説明図である。
【図４】本発明の第２実施形態に係る位置検出装置の全体構成の例を示す説明図である。
【図５】本発明の第３実施形態に係る位置検出装置の全体構成の一部の例を示す説明図である。
【図６】静電容量検知回路の内部構成の例を示すブロック図である。
【図７】同静電容量検知回路の動作波形の例を示す動作波形図である。
【図８】静電容量検知回路の内部構成の他の例を示すブロック図である。
【図９】従来の静電容量型センサの一部の構成例を示す説明図である。
【符号の説明】
【００９０】
１０，１０Ａ…静電容量センサ部、１１…第１検知電極、１２…第２検知電極、１３…第３検知電極、１４…第４検知電極、１５…第１シールド電極、１６…第２シールド電極、１９，１９Ａ…誘電体、１９ａ…検知面、２０，２０Ａ，２０Ｂ…検出回路部、２１，２２，２６，２９…静電容量検知回路、２３，２４，２７…Ａ／Ｄ変換器、２５…演算処理回路、２８…ダミーセンサ、１００，１００Ａ…位置検出装置、ＳＷＡ，ＳＷＢ，ＳＷＣ，ＳＷＤ…切替スイッチ。
【図１】
2010117174.tif 000003
【図２】
2010117174.tif 000004
【図３】
2010117174.tif 000005
【図４】
2010117174.tif 000006
【図５】
2010117174.tif 000007
【図６】
2010117174.tif 000008
【図７】
2010117174.tif 000009
【図８】
2010117174.tif 000010
【図９】
2010117174.tif 000011